(57)【要約】【課題】撮影のための補助線を必要な時、必要な場所のみに表示して使いやすいものにすること。【解決手段】本発明は、被写体を撮像し画像データを出力するＣＣＤ１４と、ＣＣＤ１４から出力された画像データを表示する表示ＬＣＤ１７と、画像データから被写体の輪郭を抽出するとともにその輪郭の直線部分を検出する輪郭検出手段と、輪郭検出手段で検出した輪郭の直線部分に対応する表示手段の表示位置の近傍に補助線を出力させる補助線生成手段とを備えている。【選択図】　　　　図３
2004104463.tif 000002
【特許請求の範囲】
【請求項１】
被写体を撮像し画像データを出力する撮像手段と、
前記撮像手段から出力された画像データを表示する表示手段と、
前記画像データから被写体の輪郭を抽出するとともにその輪郭の直線部分を検出する輪郭検出手段と、
前記輪郭検出手段で検出した輪郭の直線部分に対応する前記表示手段の表示位置の近傍に補助線を出力させる補助線生成手段と
を備えることを特徴とする撮像装置。
【請求項２】
前記輪郭検出手段で検出した直線部分の基準線に対する傾きを判定する傾き判定手段を備えており、
前記補助線生成手段は、前記傾き判定手段で判定した直線部分の傾きが一定角度以下の場合にその直線部分に対応した前記補助線を出力する
ことを特徴とする請求項１記載の撮像装置。
【請求項３】
前記輪郭検出手段で検出した直線部分が一定の長さを持っているか否かを判定する線分長判定手段を備えており、
前記補助線生成手段は、前記線分長判定手段で一定の長さを持った直線部分を判定した場合にその直線部分に対応した前記補助線を出力する
ことを特徴とする請求項１記載の撮像装置。
【請求項４】
前記撮像手段で前記被写体の撮像を行っている間、前記輪郭検出手段による前記直線部分の検出と、前記補助線生成手段による前記補助線の出力とを繰り返して行うよう制御を行う制御手段を備えている
ことを特徴とする請求項１記載の撮像装置。
【請求項５】
前記制御手段は、前記直線部分と前記補助線との傾きの差が一定範囲内に入った場合、前記表示手段にその旨を表示する制御を行う
ことを特徴とする請求項４記載の撮像装置。
【請求項６】
前記制御手段は、前記直線部分と前記補助線との傾きの差が一定範囲内に入った場合、前記補助線の表示を変更する制御を行う
ことを特徴とする請求項４記載の撮像装置。
【請求項７】
前記制御手段は、前記直線部分と前記補助線との傾きの差が一定範囲内に入った場合、その際に前記撮像手段で出力した画像データを記憶する制御を行う
ことを特徴とする請求項４記載の撮像装置。
【請求項８】
本体筐体の姿勢を検出する姿勢検出手段を備えており、
前記補助線生成手段は、前記姿勢検出手段によって検出した本体筐体の姿勢に応じた角度で前記補助線を生成する
ことを特徴とする請求項１記載の撮像装置。
【発明の詳細な説明】
【０００１】
【発明の属する技術分野】
本発明は、撮像手段で取り込んだ画像データを表示手段に表示するとともに補助線も表示する撮像装置に関する。
【０００２】
【従来の技術】
従来からカメラのファインダ視野内に撮影補助線を表示することが行われている。例えば、特許文献１では、レンズ情報により自動的にファインダ内に補助線の表示を行う技術が開示されている。
【０００３】
また、特許文献２では、カメラ背面の液晶表示画面に被写体像とともに補助枠を表示する技術が開示されている。また、移動指令の入力に応じて補助線を移動させる技術も開示されている。
【０００４】
【特許文献１】
特開平５−２１６１０９号公報
【特許文献２】
特開２０００−２７０２４２号公報
【０００５】
【発明が解決しようとする課題】
しかしながら、選択された補助線は選択されている間は常に表示されるため、撮影者にとってはわずらわしいという問題や、補助ラインに構図をあわせてしまうことで構図が限定されてしまうという問題が生じる。また、操作部材によって補助線を移動させることは操作が煩雑になり使いにくいという問題も起きる。
【０００６】
【課題を解決するための手段】
本発明は、このような課題を解決するために成されたものである。すなわち、本発明は、被写体を撮像し画像データを出力する撮像手段と、撮像手段から出力された画像データを表示する表示手段と、画像データから被写体の輪郭を抽出するとともにその輪郭の直線部分を検出する輪郭検出手段と、輪郭検出手段で検出した輪郭の直線部分に対応する表示手段の表示位置の近傍に補助線を出力させる補助線生成手段とを備えている。
【０００７】
このような本発明では、撮像手段から出力された被写体の画像データを表示手段で表示するにあたり、輪郭検出手段で画像データの輪郭のうち直線部分を検出し、補助線生成手段によってこの直線部分に対応する表示位置の近傍に補助線を出力している。したがって、補助線は被写体の輪郭のうち、構図の角度を合わせやすい直線部分の近傍のみに自動的に表示されることから、補助線によって構図が限定されたり、撮影者が補助線を移動する必要がなくなる。
【０００８】
【発明の実施の形態】
以下、本発明の実施の形態を図に基づき説明する。図１は本実施形態に係る撮像装置の前方斜視図、図２は本実施形態に係る撮像装置の後方斜視図、図３は本実施形態に係る撮像装置のブロック図である。
【０００９】
すなわち、この撮像装置１はレンズ４０、操作部材（２４〜２８）、マイク１２、スピーカ１９、表示ＬＣＤ１７、ストロボユニット２１等を備えたデジタルスチルカメラである。
【００１０】
操作部材（２４〜２８）としては、レンズ４０の周囲に設けられる回転操作部２４と、レンズ４０の筐体に設けられ撮影モードを切り替えるスライドスイッチから成るモード切替部２５と、露出固定やホワイトバランス調整を行うための調整ボタン２６と、シャッターボタンや露光調整ダイヤル等から成る撮影ボタン群２７と、表示ＬＣＤ１７の表示内容を切り替える表示切り替えボタン２８とを備えている。
【００１１】
撮像装置１のブロック構成としては、図３に示すように、ＭＰＵ（中央演算装置）１１を中心として、マイク１２、ＶＩＤＥＯアンプ１３、ＣＣＤ（固体撮像素子）１４、信号処理回路１５、ＲＧＢドライバ１６、表示ＬＣＤ１７、ＶＩＤＥＯアンプ１８、スピーカ１９、コントローラ２０、ストロボユニット２４、記憶媒体２２、外部端子２３、回転操作部２４、操作部材（２６〜２８）、レンズ４０、ポテンショメータ５７が制御される構成となっている。
【００１２】
また、レンズ４０の内部には、絞り制御モータ４１、ズームモータ４２、フォーカスモータ４３、シャッター４４およびこれらを動作させるドライバ４５が設けられている。
【００１３】
マイク１２やＣＣＤ（固体撮像素子）１４からの信号はそれぞれＶＩＤＥＯアンプ１３、信号処理回路１５によって処理され、ＭＰＵ１１に送られる。また、絞り制御モータ４１、ズームモータ４２、フォーカスモータ４３、シャッター４４はドライバ４５を介してＭＰＵ１１によって制御される。
【００１４】
ＣＣＤ１４で取り込んだ画像は、ＭＰＵ１１からＲＧＢドライバ１６によって表示ＬＣＤ１７に表示される。スピーカ１９はＶＩＤＥＯアンプ１８を介して音を発生する。
【００１５】
また、ＭＰＵ１１はコントローラ２０を介してストロボユニット２１の制御を行い、フラッシュの発光を制御する。ＭＰＵ１１によってメモリースティック（ソニー商標）等の記憶媒体２２への書き込み読み出しや、外部端子２３を通しての通信や出力が行われる。
【００１６】
また、操作部材（２６〜２８）によって撮影条件の設定が行われる。なお、これら各部は図示しない電源系により駆動されている。
【００１７】
本実施形態では、上記構成の他、ＣＣＤ１４で取り込んだ画像データから被写体の輪郭を抽出するとともにその輪郭の直線部分を検出する輪郭検出手段と、輪郭検出手段で検出した輪郭の直線部分に対応する表示ＬＣＤ１７の表示位置の近傍に補助線を出力させる補助線生成手段とを備えている。
【００１８】
なお、これらのうち輪郭検出手段は信号処理回路１５で構成されても、ＭＰＵ１１で実行されるプログラム処理で実現されてもよい。また、補助線生成手段は、ＭＰＵ１１で実行されるプログラム処理によって実現されている。
【００１９】
図４〜図１０は実施例の画面表示および内部処理を示す図である。図４はＣＣＤ１４によって取り込まれ、信号処理回路１５によって処理された画像が示されている。被写体は海と海から突き出した崖であり、撮像装置１を傾けてしまったために、画枠に対して、水平線が傾いてしまっている。
【００２０】
次に、信号処理回路１５では、この取り込んだ画像から輪郭抽出を行う。図５は、信号処理回路１５で輪郭抽出を行った結果を示す図である。次いで、信号処理回路１５では、抽出した輪郭成分から一定長さＬ以上の線分を検出する。図６は輪郭成分から一定長さＬ以上の線分を検出した状態を示す図、図７は検出された線分のみを抜き出した状態を示す図である。ここでは線分Ａ、Ｂの２つが検出されている。
【００２１】
ここで、撮像装置１に本体筐体の姿勢（被写体に向けた状態での傾き）を検出する姿勢検出手段が設けられている場合であって、この姿勢検出手段で横位置撮影（通常撮影）が検出された場合は水平線に対しての処理が行われる。一方、姿勢検出手段で縦位置撮影が検出された場合は垂直線（実際には水平線）に対して処理が行われる。
【００２２】
この場合は横位置撮影（通常位置撮影）が検出されているので、抽出された線分の中で水平線に対しての角度をＭＰＵ１１のプログラム処理で計測し、一定角度以下のものを選択する。図８は検出された線分の水平線に対する角度を計測している状態を示す図、図９は計測した角度のうち一定角度（第１の角度θ１）以下の線分Ｂのみが選択された状態を示す図である。
【００２３】
この例では、線分Ａの水平線に対する角度αと、線分Ｂの水平線に対する角度βとが計測され、角度α＞第１の角度θ１、角度β≦第１の角度θ１となっていることから、角度βを持つ線分Ｂのみが選択される。
【００２４】
なお、この第１の角度θ１は、通常の撮影で撮像装置１が傾いてしまう程度の値が初期値として設定されており、例えば、３度程度となっている。
【００２５】
また、第１の角度θ１以下の角度を持つ線分が複数ある場合には、そのうちの最も角度が小さい（第１の角度θ１に近い）ものを選択し、同じ角度のものが複数ある場合には線分の長い方を選択すればよい。また、必要に応じて２つ以上の線分を選択してもよい。
【００２６】
そして、線分が選択された後、ＭＰＵ１１のプログラム処理で実現される補助線生成手段により、元の画像と、先に選択された線分の近傍に水平線（補助線）とを重畳表示する。図１０は、元の画像に水平線（補助線Ｈ）が重畳表示された例を示す図である。
【００２７】
撮影者はこの重畳表示された水平線（補助線Ｈ）に対して撮像装置１の傾きを修正することで、海の水平線を画枠に対して水平に撮影することが容易にできるようになる。
【００２８】
また、選択された線分Ｂの、水平線（補助線Ｈ）に対する角度が一定角度（第２の角度θ２）以下になったことが検出された時点で、重畳表示されている水平線（補助線Ｈ）を消したり、表示色を変えるもしくは、音によって示したりすると、画枠に対して水平になったことが撮影者にとってよりわかりやすい。
【００２９】
なお、水平線（補助線Ｈ）と線分とが重畳表示されている際、これらの線の角度差（この例では、角度β）を数値やグラフィック等で表示ＬＣＤ１７の一部に表示させるようにしてもよい。これにより、任意の角度だけ傾けた構図を容易に設定できるようになる。また、前記第１の角度θ１や第２の角度θ２、検出されるべき線分の長さＬは、撮影者の任意でその値を変更可能に構成してもよい。
【００３０】
ここで、上記説明した画像データからの輪郭抽出および直線検出、補助線の表示出力は、画像データがＭＰＵ１１に送られるごと繰り返し計算し、連続して表示できるようにしてもよい。これにより、静止画撮影だけでなく、動画撮影であっても必要な位置に補助線を表示させた撮影を行うことが可能となる。
【００３１】
また、このような補助線の連続表示を行うとともに、補助線と検出された直線との角度差が一定範囲内に入ったら自動的に画像データを記憶して撮影を行うようにしてもよい。これによって、構図の角度が合った段階で画像を的確かつ容易に撮影することが可能となる。
【００３２】
なお、上記実施形態では、補助線として水平線を示す例を説明したが、本発明はこれに限定されず、例えば垂直線や任意に設定した角度の線であっても同様である。
【００３３】
【発明の効果】
以上説明したように、本発明によれば次のような効果がある。すなわち、撮影者は取り込み画像に重畳表示された補助線に対して容易に本体筐体の傾きを修正して、被写体に対する構図の角度を正確かつ迅速に合わせることが可能となる。補助線が水平に合っている場合には、この補助線を基準として被写体の水平部分を画枠に対して合わせることで、傾きなく撮影を行うことが可能となる。また、補助線は必要な部分のみに自動的に表示されるため、補助線によって構図が制限されたり、撮影者が補助線を移動するような煩わしさがなく、使いやすさを向上させることが可能となる。
【図面の簡単な説明】
【図１】本実施形態に係る撮像装置の前方斜視図である。
【図２】本実施形態に係る撮像装置の後方斜視図である。
【図３】本実施形態に係る撮像装置のブロック図である。
【図４】ＣＣＤによって取り込まれた画像を示す図である。
【図５】輪郭抽出を行った結果を示す図である。
【図６】輪郭成分から一定長さ以上の線分を検出した状態を示す図である。
【図７】検出された線分のみを抜き出した状態を示す図である。
【図８】検出された線分の水平線に対する角度を計測している状態を示す図である。
【図９】一定角度以下の線分のみが抽出された状態を示す図である。
【図１０】元の画像に水平線（補助線）が重畳表示された例を示す図である。
【符号の説明】
１…撮像装置、１１…ＭＰＵ、１２…マイク、１３…ＶＩＤＥＯアンプ、１４…ＣＣＤ、１５…信号処理回路、１６…ＲＧＢドライバ、１７…表示ＬＣＤ、１９…スピーカ、２０…コントローラ、２１…ストロボユニット、２２…記憶媒体、２３…外部端子、２４…回転操作部、２６〜２８…操作部材、４０…レンズ、４５…ドライバ、５７…ポテンショメータ
【図１】
2004104463.tif 000003
【図２】
2004104463.tif 000004
【図３】
2004104463.tif 000005
【図４】
2004104463.tif 000006
【図５】
2004104463.tif 000007
【図６】
2004104463.tif 000008
【図７】
2004104463.tif 000009
【図８】
2004104463.tif 000010
【図９】
2004104463.tif 000011
【図１０】
2004104463.tif 000012